(57)【要約】【課題】座席本体の背もたれ部上部にヘッドレスト部が設けられた自転車用幼児座席装置において、ヘッドレスト部を簡単且つ迅速に上げたり降ろしたりできるようにし、もって幼児の載せ降ろしが簡単に行えるようにする。【解決手段】ヘッドレスト部５に支持杆２５が設けられ、座席本体２の背もたれ部４に支持杆受部２６が設けられており、支持杆受部２６と支持杆２５との相互間には支持杆２５を弾力によって上方へ押し上げる上昇付勢手段３０と、支持杆受部２６に対する支持杆２５の保持高さを係止保持する高さ保持手段３１とが設けられており、高さ保持手段３１には、支持杆受部２６に対して係止保持された支持杆２５を、単一の操作に従い、押し上げ方向へ向けて自由解放する解放操作部４０が設けられている。【選択図】図１
2010269778.tif 000002
【特許請求の範囲】
【請求項１】
座部（３）と背もたれ部（４）とを有する座席本体（２）を備え、座席本体（２）の背もたれ部（４）上部にヘッドレスト部（５）が設けられた自転車用幼児座席装置において、
ヘッドレスト部（５）には下方へ突出する支持杆（２５）が設けられていると共に、座席本体（２）の背もたれ部（４）にはヘッドレスト部（５）の支持杆（２５）を上下方向へ向けて摺動自在に保持する支持杆受部（２６）が設けられており、
支持杆受部（２６）と支持杆（２５）との相互間には支持杆（２５）を弾力によって上方へ押し上げる上昇付勢手段（３０）と、支持杆受部（２６）に対する支持杆（２５）の保持高さを上記上昇付勢手段（３０）に抗して係止保持する高さ保持手段（３１）とが設けられており、
上記高さ保持手段（３１）には、支持杆受部（２６）に対して係止保持された支持杆（２５）を、単一の操作に従い押し上げ方向へ向けて自由解放する解放操作部（４０）が設けられている
ことを特徴とする自転車用幼児座席装置。
【請求項２】
前記高さ保持手段（３１）は、支持杆（２５）又は支持杆受部（２６）の一方に設けられた段替え爪（３５）と、支持杆（２５）又は支持杆受部（２６）の他方に設けられて上記段替え爪（３５）に係合可能とされたロック爪（３６）とを有しており、前記解放操作部（４０）は、高さ保持手段（３１）のロック爪（３６）を段替え爪（３５）に対して離脱方向に移動させる爪移動機構（４５）を有していることを特徴とする請求項１に記載の自転車用幼児座席装置。
【請求項３】
前記解放操作部（４０）の爪移動機構（４５）は、後向きに突出付勢された状態で待機する操作片（４７）と、この操作片（４７）が前方へ押し込み操作されたときに当該操作片（４７）に連動して下降するカム部材（４８）とを有しており、このカム部材（４８）が下降する動作でロック爪（３６）をスライドさせるようにして当該ロック爪（３６）を段替え爪（３５）から離脱させるものであることを特徴とする請求項２に記載の自転車用幼児座席装置。
【請求項４】
前記解放操作部（４０）の爪移動機構（４５）は、ロック爪（３６）自体に設けられた操作片（６０）を有しており、この操作片（６０）が所定方向へスライド操作されたときにロック爪（３６）も一体にスライドさせるようにして当該ロック爪（３６）を段替え爪（３５）から離脱させるものであることを特徴とする請求項２に記載の自転車用幼児座席装置。
【請求項５】
前記解放操作部（４０）の爪移動機構（４５）は、上下方向の一方へ付勢された状態で待機する操作片（７１）と、この操作片（７１）が付勢に抗する方向へ操作されたときに当該操作片（７１）と随伴動作するカム部材（７０）とを有しており、このカム部材（７０）が前記付勢に抗する方向への動作でロック爪（３６）をスライドさせるようにして当該ロック爪（３６）を段替え爪（３５）から離脱させるものであることを特徴とする請求項２に記載の自転車用幼児座席装置。
【請求項６】
前記高さ保持手段（３１）の解放操作部（４０）には、上昇操作部（４０ａ）と下降操作部（４１）とが分けて設けてあることを特徴とする請求項１〜５の何れか１項に記載の自転車用幼児座席装置。
【請求項７】
前記高さ保持手段（３１）は、支持杆受部（２６）に設けられる段替え爪（３５）と、該段替え爪（３５）に係止・離脱するように支持杆（２５）に設けられたロック爪（３６）と、該支持杆（２５）に上下方向へ摺動可能に設けられ、弾発部材（１１７または１４６）によって前記ロック爪（３６）を前記段替え爪（３５）に対して係止状態に保持し、前記弾発部材（１１７または１４６）に抗して前記ロック爪（３６）を前記段替え爪（３５）から離脱操作するための操作レバー（１０６）とを備えていることを特徴とする請求項２に記載の自転車用幼児座席装置。
【請求項８】
前記ロック爪（３６）は、支持杆（２５）の支軸（１０１）に支持される基部（１０２）と、この基部（１０２）から延びる腕部（１０３）と、この腕部（１０３）の先端の頭部（１０４）とを有しており、
前記操作レバー（１０６）には、前記ロック爪（３６）に対する爪係合解除部（１１５）と爪係合部（１１６）とを前記操作レバー（１０６）の操作方向に対向して設けてあり、その間にロック爪（３６）の腕部（１０３）が配置されており、常時、弾発部材（１１７）によって前記爪係合部（１１６）を介して前記ロック爪（３６）の頭部（１０４）を前記段替え爪（３５）に係止保持させるように組み込んだことを特徴とする請求項７に記載の自転車用幼児座席装置。
【請求項９】
前記ロック爪（３６）は、支持杆（２５）の支軸（１５１）に揺動自在に支持される取付基部（１４７）と、この取付基部（１４７）から下方に伸びる第１腕部（１４８）と、この第１腕部（１４８）の下部に左右方向外側へ突設された頭部（１４９）と、前記取付基部（１４７）から左右方向内側に伸びて操作レバー（１０６）の作動軸（１５３）に係止された第２腕部（１５０）とを左右対称に有しており、
前記左右対称な頭部（１４９）（１４９）間を弓形に湾曲した板バネ形状の弾発部材（１４６）で一体的に連結してあることを特徴とする請求項７に記載の自転車用幼児座席装置。
【発明の詳細な説明】
【技術分野】
【０００１】
本発明は、自転車用幼児座席装置に関するものである。
【背景技術】
【０００２】
自転車用幼児座席装置は、座部と背もたれ部とを有する座席本体を備え、座席本体の背もたれ部上部にヘッドレスト部が設けられているのが一般的となっている。ヘッドレストは、座部に座った幼児の頭部を後方と側方からガードするためのものであるから、当然に、幼児の頭部まで及ぶ高さを有したものとされている。従来の自転車用幼児座席装置には、幼児の体型やその生育度に合わせてヘッドレスト部の高さ調節ができるように工夫したものもある（例えば、特許文献１や２等参照）。
【０００３】
従来におけるヘッドレスト部の高さ調節は、ヘッドレスト部に対し、下方へ突出する支持杆を設けると共に、座席本体の背もたれ部には、ヘッドレスト部の支持杆を上下方向へ向けて摺動自在に保持する支持杆受部を設けておき、これら両者を前後方向へ締め込み可能にしたボルト等の止め軸で固定する（高さ方向で不動にする）構造としてあった。
すなわち、ヘッドレスト部を高さ調節するには、ボルトやダイヤル式ハンドル等の止め軸を一旦緩め、その状態でヘッドレスト部を上下に動かし、丁度よい高さで止め軸を締め込む、といった手順になる。
【先行技術文献】
【特許文献】
【０００４】
【特許文献１】特開２００７−２０３８７４号公報
【特許文献２】特開２００７−１２５９９３号公報
【発明の概要】
【発明が解決しようとする課題】
【０００５】
従来におけるヘッドレスト部では、その高さ調節をするためにボルトやダイヤル式ハンドル等の止め軸を一旦緩めたり、高さ調節後にまた止め軸を締め込んだりする必要があった。このような操作は片手では行い難く、また相応の操作力も必要なことから両手での作業が必要となっていた。
ところで最近では、自転車用幼児座席装置に対して幼児を載せたり降ろしたりする際にヘッドレスト部が邪魔になるため、ヘッドレスト部を簡単且つ迅速に上げたり降ろしたりできるような構造が要請されるようになってきた。このような要請に対し、従来におけるヘッドレスト部の高さ調節機構は、ヘッドレスト部を簡単且つ迅速に上げたり降ろしたりできるような構造ではなかった。
【０００６】
本発明は、上記事情に鑑みてなされたものであって、座席本体の背もたれ部上部にヘッドレスト部が設けられた自転車用幼児座席装置において、ヘッドレスト部を簡単且つ迅速に上げたり降ろしたりできるようにし、もって幼児の載せ降ろしが簡単に行えるようにした自転車用幼児座席装置を提供することを目的とする。
【課題を解決するための手段】
【０００７】
前記目的を達成するために、本発明は次の手段を講じた。
即ち、本発明に係る自転車用幼児座席装置は、座部と背もたれ部とを有する座席本体を備え、座席本体の背もたれ部上部にヘッドレスト部が設けられたものであって、ヘッドレスト部には下方へ突出する支持杆が設けられていると共に、座席本体の背もたれ部にはヘッドレスト部の支持杆を上下方向へ向けて摺動自在に保持する支持杆受部が設けられている。
【０００８】
そして、支持杆受部と支持杆との相互間には支持杆を弾力によって上方へ押し上げる上昇付勢手段と、支持杆受部に対する支持杆の保持高さを上記上昇付勢手段に抗して係止保持する高さ保持手段とが設けられており、上記高さ保持手段には、支持杆受部に対して係止保持された支持杆を、単一の操作に従い押し上げ方向へ向けて自由解放する解放操作部が設けられている。
【０００９】
このような構成であると、単一の操作により解放操作部を操作することで、ヘッドレスト部の支持杆は高さ保持手段による係止を解かれ、上昇付勢手段によって上方へ押し上げられるようになる。そのため、支持杆は座席本体の支持杆受部にガイドされつつ上方へと摺動し、結果、ヘッドレスト部は座席本体に対して上昇する。
すなわち、単一の操作（片手でもできるようなワンアクション）でヘッドレスト部を上昇させることができるので、座席本体への幼児の載せ降ろしが簡単に行えるようになる。
【００１０】
また、解放操作部を上昇付勢手段の押し上げ力に抗して押し下げるという単一の操作により、ヘッドレスト部を所望の高さまで下げることができる。
なお、ヘッドレスト部を押し下げるのを終了すれば（止めれば）、支持杆は再び高さ保持手段による係止状態に戻るので、その時点（押し下げを終了した時点）でヘッドレスト部の高さが保持されるようになる。
【００１１】
このように、単一の操作（片手でもできるようなワンアクション）でヘッドレスト部を下降させることもできるので、座席本体への幼児の載せ降ろしが簡単に行えるようになる。
前記高さ保持手段は、支持杆又は支持杆受部の一方に設けられた段替え爪と、支持杆又は支持杆受部の他方に設けられて上記段替え爪に係合可能とされたロック爪とを有しており、前記解放操作部は、高さ保持手段のロック爪を段替え爪に対して離脱方向に移動させる爪移動機構を有したものとすることができる。
【００１２】
前記解放操作部の爪移動機構は、後向きに突出付勢された状態で待機する操作片と、この操作片が前方へ押し込み操作されたときに当該操作片に連動して下降するカム部材とを有しており、このカム部材が下降する動作でロック爪をスライドさせるようにして当該ロック爪を段替え爪から離脱させるものとすることができる。
また別例として、前記解放操作部の爪移動機構は、ロック爪自体に設けられた操作片を有しており、この操作片が所定方向へスライド操作されたときにロック爪も一体にスライドさせるようにして当該ロック爪を段替え爪から離脱させるものとすることができる。
【００１３】
更に別例として、前記解放操作部の爪移動機構は、上下方向の一方へ付勢された状態で待機する操作片と、この操作片が付勢に抗する方向へ操作されたときに当該操作片と随伴動作するカム部材とを有しており、このカム部材が前記付勢に抗する方向への動作でロック爪をスライドさせるようにして当該ロック爪を段替え爪から離脱させるものとすることができる。
【００１４】
また、前記高さ保持手段の解放操作部には、上昇操作部と下降操作部とを分けて設けてもよい。
また、別例として、前記高さ保持手段は、支持杆受部に設けられる段替え爪と、該段替え爪に係止・離脱するように支持杆に設けられたロック爪と、該支持杆に上下方向へ摺動可能に設けられ、弾発部材によって前記ロック爪を前記段替え爪に対して係止状態に保持し、前記弾発部材に抗して前記ロック爪を前記段替え爪から離脱操作するための操作レバーとを備えていてもよい。
【００１５】
そして、前記ロック爪は、支持杆の支軸に支持される基部と、この基部から延びる腕部と、この腕部の先端の頭部とを有しており、
前記操作レバーには、前記ロック爪に対する爪係合解除部と爪係合部とを前記操作レバーの操作方向に対向して設けてあり、その間にロック爪の腕部が配置されており、常時、弾発部材によって前記爪係合部を介して前記ロック爪の頭部を前記段替え爪に係止保持させるように組み込んであることが好ましい。
【００１６】
この別例においても、操作レバーを片手で操作するだけで、ヘッドレスト部を所望の高さに調節することができる。
また、前記ロック爪は、支持杆の支軸に揺動自在に支持される取付基部と、この取付基部から下方に伸びる第１腕部と、この第１腕部の下部に左右方向外側へ突設された頭部と、前記取付基部から左右方向内側に伸びて操作レバーの作動軸に係止された第２腕部とを左右対称に有しており、
前記左右対称な頭部間を弓形に湾曲した板バネ形状の弾発部材で一体的に連結してあってもよい。
【００１７】
このロック爪は、左右のものが弾発部材で一体化されて１部品とされているため、部品点数や組付工数を削減することができる。
【発明の効果】
【００１８】
本発明に係る自転車用幼児座席装置では、ヘッドレスト部を簡単且つ迅速に上げたり降ろしたりできるものであり、幼児の載せ降ろしが簡単に行えるようになっている。
【図面の簡単な説明】
【００１９】
【図１】本発明に係る自転車用幼児座席装置の第１実施形態を背面側から示した分解斜視図である。
【図２】本発明に係る自転車用幼児座席装置の第１実施形態を背面側から示した斜視図である。
【図３】第１実施形態における主要部構造の一部を抽出し拡大して示した斜視図である。
【図４】図３からの動作状態を示した斜視図である。
【図５】本発明に係る自転車用幼児座席装置の第１実施形態を示した斜視図である。
【図６】本発明に係る自転車用幼児座席装置の第１実施形態を示した側面図である。
【図７】本発明に係る自転車用幼児座席装置の第２実施形態を背面側から示した分解斜視図である。
【図８】本発明に係る自転車用幼児座席装置の第２実施形態を背面側から示した斜視図である。
【図９】図８のＡ−Ａ線矢視図である。
【図１０】第２実施形態における主要部構造の一部を抽出し拡大して示した分解斜視図である。
【図１１】本発明に係る自転車用幼児座席装置の第３実施形態を背面側から示した斜視図である。
【図１２】図１１のＢ−Ｂ線矢視図である。
【図１３】本発明に係る自転車用幼児座席装置の第４実施形態における主要部構造のを示した側断面図である。
【図１４】図１３からの動作状態を示した側断面図である。
【図１５】第４実施形態における主要部構造の一部を抽出し拡大して示した一部破砕斜視図である。
【図１６】第４実施形態で採用された操作片を示した斜視図である。
【図１７】図１４中のＣ部に対応する箇所の軸端近傍を描いた拡大図である。
【図１８】本発明に係る自転車用幼児座席装置の第５実施形態における主要部構造の背面図であって、右半分は断面を示している。
【図１９】図１８の中央縦断側面図である。
【図２０】（Ａ）は第５実施形態における支持杆受部を前面側から見た概略斜視図であり、（Ｂ）と（Ｃ）はヘッドレスト部の支持杆を後面側から見た概略斜視図と前面側から見た概略斜視図である。
【図２１】（Ａ）は第５実施形態におけるロック爪の概略斜視図であり、（Ｂ）と（Ｃ）は操作レバーを後面側から見た概略斜視図と前面側から見た概略斜視図である。
【図２２】本発明に係る自転車用幼児座席装置の第６実施形態の全体斜視図である。
【図２３】第６実施形態のヘッドレスト昇降機構部分の分解斜視図である。
【図２４】第６実施形態のヘッドレスト昇降機構部分の組立正面図である。
【図２５】第６実施形態の背もたれ部単体の前面より見た斜視図である。
【図２６】第６実施形態のヘッドレスト部単体の前面より見た斜視図である。
【図２７】第６実施形態のヘッドレスト部単体の後面上方より見た斜視図である。
【図２８】第６実施形態のヘッドレスト部単体の後面下方より見た斜視図である。
【図２９】第６実施形態の操作レバー単体の後面より見た斜視図である。
【図３０】第６実施形態のロック爪単体の正面図である。
【図３１】第６実施形態のヘッドレスト昇降機構部分の組立状態におけるガイド部材取付部付近の横断斜視図である。
【図３２】第６実施形態のヘッドレスト昇降機構部分の組立状態における操作レバー下端部付近の横断斜視図である。
【図３３】第６実施形態のヘッドレスト昇降機構部分の組立状態におけるガイド部材取付部付近から下部までの中央部縦断斜視図である。
【発明を実施するための形態】
【００２０】
以下、本発明の実施の形態を、図面に基づき説明する。
［第１実施形態］
図１乃至図６は、本発明に係る自転車用幼児座席装置１の第１実施形態を示している。図５及び図６に示すように、この幼児座席装置１は、座席本体２の背もたれ部４に対し、その上部にヘッドレスト部５が設けられたものである。
【００２１】
座席本体２は、座部３を有し、この座部３の後部で背もたれ部４が立ち上がるようになっており、座部３の左右両側には側部ガード壁１６が形成されている。これら側部ガード壁１６の後端は背もたれ部４と一体的に連結形成されている。
座部３の下面や側部ガード壁１６の外面などには、自転車への取り付けに用いる適宜固定用構造（図示略）が設けられており、自転車のハンドル上部（ハンドルの中央部）に取付可能になっている。また、左右の側部ガード壁１６における上部間を跨ぐようにして、座部３に座った幼児が握るためのハンドルバー１７が設けられている。
【００２２】
また図例では、側部ガード壁１６の前端同士が座部３の上部前方を横断するように連結されることにより、前ガード１８が形成されたものを示している。この前ガード１８の下部には、必要に応じて着脱することのできる前下ガード１９が付設されたものとしてある。この前下ガード１９は、前方を下方へ下げるように取付姿勢を変更することで、座部３に座った幼児の足置きとして使用することもできるようになっている。このような前ガード１８や前下ガード１９の有無や構造等は特に限定されるものではない。
【００２３】
ヘッドレスト部５は、座部３に座った幼児の頭部をその後方からガードできるように、頭部高さに合わせて設けられている。図例では、幼児の頭部に対して、その左右両脇方へ向けて張り出すようにして、左右ガード部２０が設けられたものを示してある。また、図例のヘッドレスト部５には、幼児がヘルメットを着用しているときでもこのヘルメットとの干渉を避けるため、背もたれ部４の正面を基準としてそれよりも後方へ向けて凹ませた凹部２１が形成されている。
【００２４】
図１に示すように、ヘッドレスト部５には、下方へ向けて突出する支持杆２５が設けられている。これに対し、座席本体２の背もたれ部４にはヘッドレスト部５の支持杆２５を上下方向へ向けて摺動自在に保持する支持杆受部２６が設けられている。
図例の支持杆２５は、扁平な（平面断面が長方形状の）柱状のものとして形成されたものを示してあり、また支持杆受部２６は、背もたれ部４の後面（背面）に上端を上向きに開放させた状態で、上記のように扁平柱状の支持杆２５をガタツキなく嵌合可能にする角筒状のものとして形成されたものを示している。これらによりヘッドレスト部５は、支持杆受部２６に沿って支持杆２５を上下動させることで高さ位置を変更できるようになっている。
【００２５】
支持杆受部２６と支持杆２５との相互間には、上昇付勢手段３０と高さ保持手段３１とが設けられている。
上昇付勢手段３０は、支持杆２５を弾力によって上方へ押し上げるようになったもので、図例では、支持杆２５の下端と支持杆受部２６の内底部との上下間に、２本のコイルスプリング３０ａ、３０ｂを並列状に配置して取り付けた状態として示してある。
【００２６】
高さ保持手段３１は、支持杆受部２６に対する支持杆２５の保持高さを上昇付勢手段３０に抗して係止保持させるもので、支持杆２５に設けられた段替え爪３５と、支持杆受部２６に設けられたロック爪３６とを有している。このロック爪３６は、段替え爪３５との間で互いに係合離脱するように動作可能となっている。
図例の支持杆２５は、扁平柱状としての外郭を縁取るような枠形の構造を有したものとしてある。そして、この枠形構造のなかで縦方向に延びる２本の縦桟部分２５ａの各内面（対向面）に、互いに突出するようにしつつ、且つ上下方向に互いに所定間隔をおくようにして、複数の段替え爪３５が設けられたものとしている。
【００２７】
すなわち、段替え爪３５は、左右方向で対向する配置で対（一組）を成し、且つこの左右一対のものが上下方向で複数段（図例では４段）、設けられたものとなっている。
また図例のロック爪３６は、上記したような左右一対の段替え爪３５に対応するように、同じく左右一対で一組を成すように設けられている。これら左右一対のロック爪３６は、いずれも、支持杆受部２６内の所定高さ位置を維持しつつ、左右方向に移動自在に設けられている。
【００２８】
また左右一対のロック爪３６の相互間（左右中央間）には、左右方向で弾発力を発する弾発部材３７が挟み込まれている。図３及び図４に示すように、図例の弾発部材３７はコイルバネであって、左右一対のロック爪３６を左右方向外方へ向けて相互離反させるように（即ち、右側配置のロック爪３６は右方で左側配置のロック爪３６は左方へと押し出し付勢するように）なっている。
【００２９】
なお、これら左右一対のロック爪３６の相互間距離は、相互接近により弾発部材３７を最も圧縮させたときに、左側のロック爪３６と左側の段替え爪３５との係止状態、及び右側のロック爪３６と右側の段替え爪３５との係止状態が、同時に離脱できるような距離として設定されている。
このようなことから、左右一対のロック爪３６が弾発部材３７の付勢力を受けて左右方向へ張り出すようになり、各高さ位置に配された左右一対の段替え爪３５に対して選択的に係合するようになり、これによって支持杆受部２６に対する支持杆２５の支持高さが保持される。
【００３０】
ところで、この高さ保持手段３１には、更に、解放操作部４０が設けられている。
解放操作部４０は、単一の操作（片手でもできるようなワンアクション）に従い、押し上げ状態が係止保持された支持杆２５を支持杆受部２６に対して自由解放する（即ち、自由に上昇する状態にさせる）ようになったもので、ロック爪３６を段替え爪３５に対して離脱方向に移動させる爪移動機構４５を有している。
【００３１】
爪移動機構４５の具体的な構造としては、弾発部材４６によって後向きに突出付勢された状態で待機する操作片４７と、この操作片４７を前方へ押し込み操作したときに連動して下降するカム部材４８とを有したものとなっている。図例では、操作片４７とカム部材４８とを連結リンク４９で連結したリンク機構５０を採用したものとしている。
カム部材４８は、下降動作により、ロック爪３６を左右方向へスライドさせ、この動きでロック爪３６を段替え爪３５から離脱させるものであって、ロック爪３６に当接する傾斜カム５２を有している。なお、ロック爪３６には、後方（図３の図中手前側）へ突出することで傾斜カム５２の当接を受け易くする係止突起５３が設けられている。
【００３２】
ロック爪３６が左右一対設けられていることに対応して、カム部材４８には左右一対の傾斜カム５２が設けられている。これら左右一対の傾斜カム５２は、「ハ」字状を呈するように上側ほど相互間隔が狭く下側ほど相互間隔が広くなる方向で傾斜したものである。
これら傾斜カム５２は、繋ぎ板部５４を介して下向きに二股状に突出する脚部５５に対して一体的に設けられており、また繋ぎ板部５４には、上方へ突出する２本の連接杆５６が設けられて、これら連接杆５６が、上記したリンク機構５０の各連結リンク４９と連結されるようになっている。
【００３３】
このような構造であるため、解放操作部４０の操作片４７を前方へ押し込み操作すると、リンク機構５０を介してカム部材４８が下降動作し、このカム部材４８の傾斜カム５２がロック爪３６の係止突起５３との当接を強めるようになることで、左右一対のロック爪３６が弾発部材３７を圧縮しつつ（付勢力に抗しつつ）左右方向内方へ引き込まれるようになる。
【００３４】
かくして、ロック爪３６は段替え爪３５との係合状態を離脱するようになり、ヘッドレスト部５の支持杆２５は高さ保持手段３１による係止を解かれ、上昇付勢手段３０によって上方へ押し上げられるようになる。そのため、支持杆２５は支持杆受部２６にガイドされつつ上方へと摺動し、結果として、ヘッドレスト部５は座席本体２に対して上昇する。
そして、操作片４７から手を離すと、即ち、操作片４７の押し込みを解放すると、弾発部材４６（図３参照）によって操作片４７が後方へ突出復帰し、連結リンク４９を介してカム部材４８を上昇復帰させ、傾斜カム５２によるロック爪３６の引き込みが解除される。その結果、ロック爪３６は、弾発部材３７によって左右方向外方へ突出してその時点で対応している高さの段替え爪３５に係止する。これによって、ヘッドレスト部５は、所望の高さに調節された状態で保持されるようになる。
【００３５】
以上、詳説したところから明かなように、上記構成を有する幼児座席装置１では、解放操作部４０の操作片４７を前方へ押し込むといった単一の操作（片手でもできるようなワンアクション）により、ヘッドレスト部５を上昇付勢手段３０の上昇付勢力によって軽く上昇させることができる。また、ヘッドレスト部５を下降させるときも、操作片４７を押し込みながら操作部４０を上昇付勢手段３０の上昇付勢力に抗して押し下げるという単一の操作により、ヘッドレスト部５を所望の高さまで下降させることもできるので、座席本体２への幼児の載せ降ろしが簡単・迅速に行えるようになる。なお、上昇付勢手段３０の上昇付勢力は、ヘッドレスト部５の自重に打ち勝つ程度に設定されるもので、下降時の操作力も小さなものでよく、これによって、本発明の第１実施形態は、ヘッドレスト部５の高さ調整を片手で軽くスムーズに行うことができるように構成したものである。
［第２実施形態］
図７乃至図１０は、本発明に係る自転車用幼児座席装置１の第２実施形態を示している。この第２実施形態の幼児座席装置１が上記した第１実施形態と最も異なるところは、高さ保持手段３１に設けられた解放操作部４０を上昇操作部４０ａと下降操作部４１とに分けて設けた点にある。
【００３６】
即ち、本第２実施形態の上昇操作部４０ａは、図８、図９に示すように、爪移動機構４５が、ロック爪３６自体に設けられた操作片６０を有したものとなっており、この操作片６０を左右方向へ横移動操作することによりロック爪３６を直接的にスライドさせ、もって段替え爪３５から離脱させるものとなっている。
ロック爪３６が左右一対設けられていることは第１実施形態と同じであり、従って操作片６０も、左右の各ロック爪３６に各別に設けられている（左右一対ある）。そのため、これら左右一対の操作片６０を摘むようにする（相互接近させる）ことで、左右一対のロック爪３６は弾発部材３７を圧縮しつつ（付勢力に抗しつつ）左右方向内方へ引き込まれ、ロック爪３６が段替え爪３５との係合状態を脱出するようになる。
【００３７】
上記操作片６０を摘んで相互接近させ、ロック爪３６を引っ込めて段替え爪３５から外すと、ヘッドレスト部５は、上昇付勢手段３０によって上方へ押し上げられ、所望の高さになったところで操作片６０から手を離せば、弾発部材３７の弾性復帰力によってロック爪３６が左右方向外側へ押し出され、その時点で対応している段替え爪３５に係合し、ヘッドレスト部５をその高さ位置に保持するようになる。
【００３８】
一方、本第２実施形態の下降操作部４１は、図７、図１０に示すように、ラチェット機構６３を採用し、別の操作片６４を具備したものとなっている。
図７及び図１０に示すように、ラチェット機構６３は、支持杆２５内に対し、左右の段替え爪３５の相互間に挟まれる配置で収納される第１ノコ歯列６５及び第２ノコ歯列６６を有している。第１ノコ歯列６５は左右方向で所定間隔をおいて一対設けられており、互いに歯先を対向させるようになっており、また第２ノコ歯列６６も、これら左右の第１ノコ歯列６５に噛合するように左右一対設けられており、歯先を左右外側へ向けるようになっている。
【００３９】
左列で第１ノコ歯列６５と第２ノコ歯列６６とが噛合する噛合角と、右列で第１ノコ歯列６５と第２ノコ歯列６６とが噛合する噛合角とは、上方ほど狭まり下方ほど広がるような「ハ」字状の関係になっている。
そして、第１ノコ歯列６５の上端部に対して上記した操作片６４が設けられており、第１ノコ歯列６５の下端部に対して、支持杆２５の内底部２５ｂとの間で弾発力を発する弾発部材６７が設けられている。
【００４０】
支持杆受部２６に設けられたロック爪３６には、前方（図９の図中手前側）へ突出することで第２ノコ歯列６６と当接する係止突起６８が設けられており、この係止突起６８の左右方向外側面に対して、左右の第２ノコ歯列６６が当接するようになっている。すなわち、左右の第２ノコ歯列６６は、それらの相互間で左右のロック爪３６を挟み込むような位置関係となっている（図１０参照）。
【００４１】
このようなことから、支持杆２５に対して、操作片６４を下方へ押し込み操作すると、左右の第１ノコ歯列６５が下降し、左右の第２ノコ歯列６６には第１ノコ歯列６５との噛合角（「ハ」字状の傾き）に沿って左右方向の内方へ押されるようなカム作用が作用する。従って、これら左右の第２ノコ歯列６６が左右のロック爪３６を相互接近させることになり、ロック爪３６を段替え爪３５から離脱させるものとなっている。
【００４２】
このとき、支持杆２５には支持杆受部２６に対して上昇付勢手段３０による上向きの押し上げ力が作用しているが、この押し上げ力に抗して操作片６４を押し下げると、ヘッドレスト部５も一緒に押し下げられる。そして、操作片６４から手を離せば、図７に示す弾発部材６７が第１ノコ歯列６５を上方へ押し上げる。これによって第２ノコ歯列６６の左右方向内方への押し付け力が解除される。この結果、ロック爪３６が弾発部材３７によって左右方向外側へ押し出され、その時点で対応している段替え爪３５に係合することになる。これによって、ヘッドレスト部５は、所望の高さまで押し下げて係止保持させることができる。
【００４３】
このように、第２実施形態においても、上昇操作部４０ａの操作片６０を片手で摘むとういう操作だけでヘッドレスト部５を所望の高さまで上昇させることができ、また、下降操作部４１の操作片６４を押し下げるという操作だけでヘッドレスト部５を所望の高さまで下降させることができる。
［第３実施形態］
図１１及び図１２は、本発明に係る自転車用幼児座席装置１の第３実施形態を示している。この第３実施形態の幼児座席装置１は、上記した第２実施形態（図７乃至図１０参照）と基本的に同じものであるが、最も異なるところは、高さ保持手段３１に設けられた解放操作部４０の上昇操作部４０ａの爪移動機構４５の左右一対の操作片６０の代わりに１つの操作片７１でロック爪３６を操作できるようにした点にある。
【００４４】
即ち、本第３実施形態の爪移動機構４５は、図１１及び図１２に示すように、左右のロック爪３６の係止突起６８に対して、それらを左右方向の両外側から抱持するように「ワ」字状に形成されたカム部材７０を外嵌させ、このカム部材７０に操作片７１を設けてある。
カム部材７０には、左右のロック爪３６を相互接近方向へ移動させるような傾斜カム７２が、互いに所定間隔をおいた対向配置で設けられている。これら左右の傾斜カム７２は、「ハ」字状を呈するように上側ほど相互間隔が狭く下側ほど相互間隔が広くなる方向で傾斜したものである。
【００４５】
このような構造を採用すると、操作片７１を下方へ押し込み操作したときに、この操作片７１と随伴動作するカム部材７０の下降で、左右の傾斜カム７２が左右のロック爪３６を左右方向内方（相互接近方向）へスライドさせるようになり、もって、左右のロック爪３６を左右の段替え爪３５から離脱させることができるようになる。
なお、操作片７１を下方へ押し込み操作しないとき（非操作時）は、左右のロック爪３６が弾発部材３７によって相互離反方向へ付勢される作用と、これら左右のロック爪３６が相互離反する作用で左右の傾斜カム７２が上方へ押し上げられる作用とが、操作片７１に対して付加するようになる。そのため、この操作片７１は、非操作時には上向きに押し上げ付勢された状態で待機することになる。なお、ヘッドレスト部５の下降操作部４１は、第２実施形態と同一である。
［第４実施形態］
図１３乃至図１７は、本発明に係る自転車用幼児座席装置１の第４実施形態を示している。この第４実施形態の幼児座席装置１は、上記した第２実施形態（図７乃至図１０参照）と基本的に同じものであるが、最も異なるところは、高さ保持手段３１自体の設けられた向きにある。
【００４６】
すなわち、本第４実施形態の高さ保持手段３１は、支持杆２５に対して設けられる段替え爪３５が、支持杆２５内で後方へ向けて突出するようになっている（第１乃至第３実施形態において段替え爪３５は左右方向に突出したものであった）。
このような段替え爪３５の突出向きの違いに伴い、支持杆受部２６側に設けられるロック爪３６についても、段替え爪３５へ向けて前方突出の状態で設けられている。
【００４７】
解放操作部４０の上昇操作部４０ａでは、揺動支軸８０を支点として前後揺動するレバータイプの操作片８１を有しており、この操作片８１に対してロック爪３６が揺動自在に連結されたものとしてある。この操作片８１は、図１７に示すようにコイルバネ等の弾発部材８２により、下端側を前方へ押し出すような方向で付勢されている。
従って、この操作片８１を後方向へ引き上げる向きに揺動操作することによりロック爪３６を直接的に後向きに移動させ、もって段替え爪３５から離脱させるものとなっている。なお、ロック爪３６が左右一対設けられていることは他の実施形態と同じであり、従って段替え爪３５も左右一対設けられている。
【００４８】
一方、本第４実施形態の下降操作部４１は、第２実施形態（図７乃至図１０参照）で説明したラチェット機構６３と略同じ原理を採用してある。但し、上記のように段替え爪３５やロック爪３６の突出向きが前後方向であることに伴い、ラチェット機構６３の向きも歯先が前後方向を向くように設けられている点が異なる。
その他の細部構成や作用効果、使用状況などは他の実施形態と実質的に略同じであるためここでの詳説は省略する。
［第５実施形態］
図１８〜図２１は、本発明に係る自転車用幼児座席装置１の第５実施形態を示している。この第５実施形態の幼児座席装置１は、ヘッドレスト部５に設けられる支持杆２５と、座席本体２の背もたれ部４に設けられる支持杆受部２６と、上昇付勢手段３０と、高さ保持手段３１と、解放操作部４０とを備えている。
【００４９】
上記支持杆２５と支持杆受部２６との関係は、支持杆受部２６によって支持杆２５を上下方向に向けて摺動自在に保持させるものである。
支持杆受部２６は、図２０（Ａ）に示すように、背板部８５と、背板部８５の左右両側に前方に向けて突設された一対の外側板部８６と、一対の外側板部８６の内側で背板部８５から前方に向けて突設された一対の内側板部８７とを有している。
【００５０】
背板部８５の上部中央には、上昇付勢手段３０の収容部８８が形成されており、その上部に第１ガイド部材８９の取付孔９０が形成されている。
外側板部８６には、第２ガイド部材９１のガイド孔９２が上下方向の長孔として形成されている。
内側板部８７の内側には、三角波形の段替え爪３５が左右対称形状で対向して設けられている。
【００５１】
支持杆２５は、図２０（Ｂ）（Ｃ）に示すように、ヘッドレスト部５の支柱部材として形成されており、背板部９５と、背板部９５の左右両側に前方に向けて突設された一対の内側板部９６と、一対の内側板部９６の前端から外側へ屈曲延長され、さらに後方へ屈曲延長された一対の外側板部９７と、これらの上部に形成された上蓋部９８とを有している。
【００５２】
背板部９５は、左右方向中央部に第１ガイド部材８９のガイド孔９９が上下方向の長孔として形成されており、また、外側板部９７の下部には第２ガイド部材９１の取付孔１００が形成されている。第１ガイド部材８９が支持杆受部２６側に取り付けられ、第２ガイド部材９１が支持杆２５側に取り付けられ、これら第１ガイド部材８９と第２ガイド部材９１がそれぞれ相手側に上下方向の長孔として形成されているガイド孔９２，９９に摺動可能に嵌合されていることによって、支持杆受部２６に対して支持杆２５が上下方向に摺動自在に保持されている。
【００５３】
背板部９５の前面側の下部の左右両側に前記段替え爪３５と対応するロック爪３６の取付軸１０１が形成されている（図１８，図２０（Ｃ）参照）。この取付軸１０１は、角軸形状とされている。
ロック爪３６は、左右一対とされ、その形状は、本第５実施形態においては、図２１（Ａ）に示すように、取付基部１０２と、取付基部１０２から一体に延長された腕部１０３と、腕部１０３の先端（下端）に一体に形成された頭部１０４とを有し、全体が樹脂（例えば、ポリプロピレン樹脂）等で製作されている。
【００５４】
取付基部１０２は、角軸形状の取付軸１０１に嵌合するための角穴を有している。頭部１０４は、三角波状の段替え爪３５に対応する三角凸部形状とされている。腕部１０３は、薄板状に形成されており、取付軸１０１を支点として頭部１０４が左右両外側の段替え爪３５に係合した状態から離脱する方向に戻すように弾性復元可能とされている。
支持杆２５の内側板部９６には、図１８、図２０（Ｃ）に示すように、前記ロック爪３６の取付軸１０１よりも下方に窓孔１０５が形成されており、この窓孔１０５からロック爪３６の先端の頭部１０４が左右方向に出没可能に装着されている。
【００５５】
支持杆２５の前面側の左右一対の側板部９６間には、図２１（Ｂ）（Ｃ）に示すような操作レバー１０６が上下方向に摺動自在に装着されている。
支持杆２５の背板部９５の前面には、図２０（Ｃ）に示すように、取付座１０７が前方に向けて突設されている。この取付座１０７は、背板部９５の上下方向に２段で左右方向に２列として合計で４個形成されている。
【００５６】
この取付座１０７に対応して、操作レバー１０６には、図２１（Ｂ）（Ｃ）に示すように、上下方向に長孔状とした４個のガイド孔１０８が形成され、このガイド孔１０８を通して第３ガイド部材１０９が前記取付座１０７に取り付けられている（図１８、図１９参照）。このガイド孔１０８は、第３ガイド部材１０９の頭部が沈む程度の深さの座繰り孔としてあり、孔周囲の座面を第３ガイド部材１０９の頭部座面に僅かな隙間を残して対向させてある。これによって、操作レバー１０６は、支持杆２５に対して、上下方向に摺動自在に取り付けられている。
【００５７】
この操作レバー１０６は、図２１（Ｂ）（Ｃ）に示すように、矩形（縦長）板状の主体部１１０と、主体部１１０の左右方向両端から後方に突設された側板部１１１と、主体部１１０の上端から後方に突設された操作頭部１１２と、主体部１１０の下端から後方に突設された底板部１１３とを有しており、側板部１１１の下部と底板部１１３の左右両端との間には爪挿通隙間１１４が切り欠き形成されている。この爪挿通隙間１１４の上側となる側板部１１１下端には、爪係合解除部１１５が形成され、また、爪挿通隙間１１４の下側となる底板部１１３の左右両端には、爪係合部１１６が傾斜案内面として形成されている。
【００５８】
上記底板部１１３の下面と、支持杆２５の背板部９５の前面側下部には、コイルスプリングからなる弾発部材１１７の取付部１１８，１１９が形成され、この取付部１１８，１１９に弾発部材１１７の両端部が取り付けられている。これによって、操作レバー１０６は、支持杆２５に対して、常時、上向きに弾圧され、爪係合部１１６によってロック爪３６が段替え爪３５に係合保持される。従って、この構成が第５実施形態におけるヘッドレスト部５の高さ保持手段３１を構成していることになる。なお、上記操作レバー１０６は、上記とは逆の下向きにバネ等の弾発部材で弾圧させておき、上向きに操作するように構成してもよい。
【００５９】
また、操作レバー１０６の操作頭部１１２は、図１９に示すように、支持杆２５の上蓋部９８の上部に形成された窓孔１２０から押し下げ操作可能とされている。この操作頭部１１２を片手で押し下げると、操作レバー１０６が弾発部材１１７の弾圧力に抗して下降し、爪係合解除部１１５によってロック爪３６の腕部１０３が下方に押されて取付軸１０１を中心として下方に回動し、頭部１０４が段替え爪３５から離脱してロック爪３６と段替え爪３５との係合が解除される。従って、この構成が第５実施形態における解放操作部４０を構成していることになる。また、操作レバー１０６は、第５実施形態において、爪移動機構４５を構成していることになる。
【００６０】
上昇付勢手段３０は、ヘッドレスト部５の支持杆２５を上向きに弾圧付勢するものであって、前記してきた第１〜第４実施形態では、コイルスプリングを例示しているが、この第５実施形態においては、渦巻きバネを弾発部材１２１として採用したものである。即ち、巻芯部材１２２に始端を係止した渦巻きバネ１２１の終端１２３を、図１９に示すように、支持杆２５の背板部９５の後面の下端にネジなどの固着具１２４で固着し、巻芯部材１２２を支持杆受部２６の背板部８５の上部に形成した収容部８８に収容している。この渦巻きバネ１２１は、支持杆受部２６に対して、支持杆２５を、常時、上向きに付勢するように装着されるものである。なお、支持杆２５を支持杆受部２６に対して、常時、上向きに付勢するための手段は、他の構成を採用してもよい。
【００６１】
この第５実施形態においては、操作レバー１０６の操作頭部１１２を片手で押し下げることにより、ロック爪３６を段替え爪３５から離脱させることができる。この状態では、渦巻きバネ１２１によってヘッドレスト部５に上昇方向の付勢力が作用しているため、該付勢力によって支持杆２５を所望の高さまで上昇させて操作頭部１１２から手を離せば、その高さでヘッドレスト部５を係止保持させることができる。
【００６２】
また、操作レバー１０６の操作頭部１１２を片手で押し下げて、ロック爪３６を段替え爪３５から離脱させ、この状態で、操作レバー１０６の操作頭部１１２を渦巻きバネ１２１の上昇方向の付勢力に抗して、さらに押し下げると、ヘッドレスト部５を下げることができる。そして、所望位置までヘッドレスト部５が下がると、操作頭部１１２の押し下げ力を解除すれば、弾発部材１１７によって、支持杆２５に対して操作レバー１０６が押し上げられ、爪係合部１１６によってロック爪３６の頭部１０４が段替え爪３５に係合される。これによって、ヘッドレスト部５を所望の高さに下げた位置で係止保持させることができる。
【００６３】
支持杆２５の外側板９７の内側面には、ロック爪３６の頭部１０４と対向してバックアップ部１２５が形成されており、このバックアップ部１２５は、ロック爪３６と係合する段替え爪３５の内側板８７が変形することを防止し、段替え爪３５とロック爪３６との係合状態の保持を確実に行うようにしている。
［第６実施形態］
図２２〜図３３は、本発明に係る自転車用幼児座席装置１の第６実施形態を示している。この第６実施形態の幼児座席装置１は、ヘッドレスト部５に設けられる支持杆２５と、座席本体２の背もたれ部４に設けられる支持杆受部２６と、上昇付勢手段３０と、高さ保持手段３１と、解放操作部４０とを備えている。
【００６４】
座席本体２は、図２２に示すように、座部３と、背もたれ部４とを有しており、座部３の左右方向両側に自転車ハンドル１２８への取付部１２９が形成されている。背もたれ部４の左右方向中央部には、図２３、図２５に示すように、支持杆受部２６が後方に突出させた状態で上下方向に一体的に形成されている。ヘッドレスト部５には、図２３、図２６〜図２８に示すように、支持杆２５が一体的に形成されており、この支持杆２５が背もたれ部４の支持杆受部２６に上下方向に向けて摺動自在に組み込まれている。
【００６５】
支持杆受部２６は、図２３、図２５に示すように、前面中央部に支持杆２５を上下方向に摺動自在に収容する凹部１３０が形成され、この凹部１３０の左右両側に段替え爪３５が上下方向に多段に設けられている。この段替え爪３５は、凹部１３０の左右両側の壁部１３１から凹部１３０に突出するように設けられている。段替え爪３５は、三角波形で左右対称に対向して形成されている。左右の段替え爪３５の左右方向外側と凹部１３０の左右両側の壁部１３１との間には、後述する係止部材１３５（図２３）の屈曲部１３７が挿入されるガイド隙間１３２が上下方向に所定長さで形成されている。
【００６６】
支持杆２５は、図２３、図２４、図２７、図２８に示すように、左右両側に段替え爪３５を前後方向から挟む２条の突条１３３、１３４（図３１参照）が左右方向外側に向けて突出形成されている。この２条の突条１３３、１３４は、支持杆２５の上下方向に沿って平行に設けられており、前記支持杆受部２６に設けられている段替え爪３５を前後方向から挟むように支持杆受部２６の上方から挿入される。これにより、支持杆２５は、支持杆受部２６に対して上下方向に摺動自在に組み込まれている。
【００６７】
支持杆２５の下端には、図２２〜図２４及び図２６〜図２８に示すように、係止部材１３５の係止溝１３６が左右方向全長に亘って形成されており、この係止溝１３６に係止部材１３５を係止することによって、支持杆受部２６に対する支持杆２５の上方への抜け止めを行わせている。そのための構成として、係止部材１３５には、左右方向両端に後方へ屈曲させた屈曲部１３７が形成してある。この屈曲部１３７は、左右の段替え爪３５の左右方向外側と凹部１３０の左右両側の壁部１３１との間のガイド隙間１３２に挿入されている。
【００６８】
ガイド隙間１３２の上端は、図２５に示すように、閉鎖端１３８とされており、この閉鎖端１３８に屈曲部１３７が当接することによって、係止部材１３５の上方への移動を停止させ、この係止部材１３５を介して、支持杆受部２６に対する支持杆２５の上方への抜け止めを行わせている。
支持杆２５の前面における左右方向中央部には、図２３、図２６に示すように、操作レバー１０６を上下方向に摺動自在に収容する凹部１３９が形成されている。この凹部１３９の上端は、図２７、図２８に示すように、後方に向けて開放する操作窓部１４０とされている。操作レバー１０６は、図２３、図２４に示すように、支持杆２５の凹部１３９に上下方向に摺動自在に収容されている。操作レバー１０６の上端には、操作頭部１１２が形成されている。この操作頭部１１２は、前記操作窓部１４０内に上下方向に移動操作可能に収容されている。操作レバー１０６は、操作頭部１１２を操作窓部１４０内で上下方向に移動操作することによって、支持杆２５に対して上下方向に摺動可能とされている。
【００６９】
支持杆２５の凹部１３９の前面における左右方向中央部には、図２３、図２４、図２６に示すように、ガイド突起１４１とガイド取付座１４２とが突設されている。これに対応して、操作レバー１０６には、図２３、図２４、図２９に示すように、上下方向に長いガイド孔１４３，１４４が形成されている。ガイド突起１４１は、ガイド孔１４３に挿入されているだけであるが、ガイド取付座１４２とガイド孔１４４とは、別部材としてのガイド部材１４５をガイド孔１４４を通してガイド取付座１４２に取り付けている。ガイド部材１４５は、頭部周囲に鍔部を有し、この鍔部とガイド取付座１４２とで操作レバー１０６をガイド孔１４４の周囲で前後方向に挟むことによって、操作レバー１０６を支持杆２５に分離しないように取り付けている。即ち、支持杆２５と操作レバー１０６は、１本のガイド部材１４５によって結合・分離が可能とされている。このガイド部材１４５は、ネジ形状とされ、ガイド取付座１４２に設けられるナット部材（図示省略）に螺合締結される。なお、ガイド突起１４１の下面と、ガイド孔１４３の下部との間には、操作レバー１０６に下向きの弾発力を付勢するためのコイルスプリング（図示省略）を配置してもよい。
【００７０】
ロック爪３６は、図２３、図２４に示すように、支持杆２５に取り付けられ、弾発部材１４６によって段替え爪３５に係止保持され、操作レバー１０６によって段替え爪３５から離脱操作可能とされている。即ち、ロック爪３６は、操作レバー１０６の後面と支持杆２５の前面との間（図３３参照）に左右対称に配置（図２４参照）され、支持杆受部２６の左右両側の段替え爪３５に向けて弾発部材１４６の弾発力により左右方向外側に突出係合して支持杆受部２６に対する支持杆２５の高さをその位置で保持可能に設けられ、しかも、操作レバー１０６の上向き操作によって、前記弾発部材１４６の弾発力に抗して左右方向内側に退入して段替え爪３５から離脱させて支持杆受部２６に対する支持杆２５の高さ位置を変更可能に設けられている。
【００７１】
左右のロック爪３６は、図２４、図３０に示すように、取付基部１４７と、取付基部１４７から下方に伸びる第１腕部１４８と、第１腕部１４８の下部に左右方向外側へ突設された頭部１４９と、前記取付基部１４７から左右方向内側に伸びる第２腕部１５０とをそれぞれ有している。
そして、取付基部１４７は、支持杆２５に前後方向に平行に設けられた支軸１５１（図２３、図２４、図２６参照）に該支軸１５１回りで揺動自在に枢着支持可能とするための円孔１５２（図２４、図３０参照）が形成されている。また、第２腕部１５０は、操作レバー１０６に前後方向に平行に設けられた作動軸１５３（図２４、図２９参照）に係止可能とするための左右方向に長い長円孔１５４（図２４、図３０参照）が形成されている。さらに、左右の頭部１４９の間には、弾発部材１４６（図２４、図３０参照）が配置されている。この弾発部材１４６は、左右の頭部１４９間で弓形に湾曲した板バネ形状とされていると共に、左右の頭部１４９と一体化されている。左右の頭部１４９は、三角波形の段替え爪３５に係合するよう左右方向外側に突出する三角形状の先端部を有している。
【００７２】
左右のロック爪３６は、樹脂製とした場合を例示しているが、金属製としてもよい。支持杆２５の左右両側の壁面には、ロック爪３６の頭部１４９が出入りする窓孔１５５（図２３、図２６、図２８参照）が形成されている。
支持杆受部２６と支持杆２５との間には、支持杆受部２６に対して、支持杆２５を上向きに付勢する上昇付勢手段３０（図２５参照）が設けられている。この上昇付勢手段３０は、渦巻きバネ１５６の上端を支持杆受部２６の前面上部に固着し、下端を巻芯部材１５７の巻芯に巻き付け固着して、常時、巻取り方向の弾力を付勢させてあり、該巻芯部材１５７を下方に引き下げて渦巻きバネ１５６を巻戻し方向に引き出すことにより、該巻芯部材１５７に上向きの復元弾力が発生するようにしてある。この巻芯部材１５７は、支持杆２５の後面下部に設けた凹部１５８（図２７、図２８、図３２参照）に収納保持（巻芯部材を単に四角形の空間内に回転自在に収納保持している場合と、巻芯部材の巻芯軸を軸受溝に回転自在に保持するようにした場合との何れでもよい）される。これによって、支持杆２５を支持杆受部２６に対して上向きに付勢するようにしている。支持杆２５の後面には、凹溝１５９（図２７、図２８、図３１参照）が上下方向に形成されており、この凹溝１５９は、上昇付勢手段３０の渦巻きバネ１５６が引き出されたときの板バネ部分を収容するための空間を形成し、同時に、板バネ部分が左右方向にずれないようにガイドさせるために設けられている。
【００７３】
第６実施形態は、以上の構成から成っており、次に、動作を説明する。
通常の状態においては、左右のロック爪３６は、弾発部材１４６によって段替え爪３５に係止した状態を保持している。これによって、支持杆２５は、支持杆受部２６の任意の高さ位置でロックされた状態を保持している。即ち、ヘッドレスト部５は、背もたれ部４の任意の高さ位置でロックされている。これが第６実施形態における高さ保持手段３１となっている。
【００７４】
ヘッドレスト部５の高さを変更するには、操作レバー１０６の操作頭部１１２を上向きに引き上げる。これにより、ロック爪３６の第２腕部１５０が作動軸１５３によって上向きに引き上げられ、第２腕部１５０と一体の第１腕部１４８が弾発部材１４６の弾発力に抗して支軸１５１を中心として回動して左右の頭部１４９を左右方向内側に退入させる。これにより、ロック爪３６が段替え爪３５から離脱する。これにより、支持杆２５は、支持杆受部２６に対して、上下方向に移動自在となる。即ち、ヘッドレスト部５は、背もたれ部４に対して、任意の高さに変更可能となる。これが第６実施形態における解放操作部４０となっている。
【００７５】
支持杆２５は、支持杆受部２６に対して、上昇付勢手段３０により、上向きの付勢力が付与されているため、ロック爪３６が段替え爪３５から離脱されると、上向きに移動（上昇）する。そこで、背もたれ部４に対するヘッドレスト部５の所望の高さ位置で、操作レバー１０６の操作頭部１１２を上向きに引き上げる力を除去すれば、弾発部材１４６によって左右のロック爪３６の頭部１４９が左右方向外側に押し出され、当該高さ位置に対応する段替え爪３５に係合してロックする。
【００７６】
ヘッドレスト部５の高さの変更は、上げる場合と下げる場合とがあるが、上げる場合は、上昇付勢手段３０の上昇付勢力を利用して比較的楽に上げることができる。下げる場合は、上昇付勢手段３０の上昇付勢力に抗して下げることになる。この上昇付勢力は、ヘッドレスト部５の自重を打ち消す程度か、それよりも大きくしておくのが好ましい。なお、上昇付勢力は、ヘッドレスト部５の自重よりも小さい場合であっても、その分だけ、上げ下げに必要な力を減少させることができる。
【００７７】
上記第６実施形態は、第５実施形態に比較して、構造を簡略化したものである。例えば、ロック爪３６は、２部材になっていたものを１部材にしたこと、及び、支持杆２５と操作レバー１０６との間に収容空間を形成して、その空間にロック爪３６を収容したこと、また、支持杆２５に対する操作レバー１０６の案内構造を単純化したこと、さらに、支持杆受部２６に対する支持杆２５の支持構造を簡単化したこと、また、上昇付勢手段３０を外部に張り出さないように工夫していること、その他、部品点数を減少させ、組付工数を少なくしたこと等が挙げられる。
［その他］
ところで、本発明は、上記各実施形態に限定されるものではなく、実施の形態に応じて適宜変更可能である。
【００７８】
例えば、座席本体２の細部構造や形状、デザイン、及びヘッドレスト部５の細部構造や形状、デザインなどは何ら限定されるものではない。
各実施形態において段替え爪３５やロック爪３６は左右一対のものとして説明したが、必ずしも、左右一対設ける必要はない。
高さ保持手段３１において、段替え爪３５を支持杆２５側に設け、ロック爪３６を支持杆受部２６側に設けるようにしてもよい。また、上昇付勢手段３０は、板バネや巻きバネを利用してもよい。
【産業上の利用可能性】
【００７９】
本発明の自転車用幼児座席装置は、自転車のハンドル上部（ハンドルの中央部）に取り付けるようにした場合を例示したが、これ以外でもよく、例えば、自転車のハンドル前部、ハンドル後部又は自転車の後部（荷台部）などに取り付けてもよい。
【符号の説明】
【００８０】
１  幼児座席装置
２  座席本体
３  座部
４  背もたれ部４
５  ヘッドレスト部
２５  支持杆
２６  支持杆受部
３０  上昇付勢手段
３１  高さ保持手段
４０  解放操作部
４１  下降操作部
３５  段替え爪
３６  ロック爪
４５  爪移動機構
４７  操作片（第１実施形態）
４８  カム部材（第１実施形態）
６０  操作片（第２実施形態）
７１  操作片（第３実施形態）
７０  カム部材（第３実施形態）
４０ａ  上昇操作部（第４実施形態）
４１  下降操作部（第４実施形態）
１０１  支軸（第５実施形態）
１０２  基部（第５実施形態）
１０３  腕部（第５実施形態）
１０４  頭部（第５実施形態）
１０６  操作レバー（第５、第６実施形態）
１１５  爪係合解除部（第５実施形態）
１１６  爪係合部（第５実施形態）
１１７  弾発部材（第５実施形態）
１４６  弾発部材（第６実施形態）
１４７  取付基部（第６実施形態）
１４８  第１腕部（第６実施形態）
１４９  頭部（第６実施形態）
１５０  第２腕部（第６実施形態）
【図１】
2010269778.tif 000003
【図２】
2010269778.tif 000004
【図３】
2010269778.tif 000005
【図４】
2010269778.tif 000006
【図５】
2010269778.tif 000007
【図６】
2010269778.tif 000008
【図７】
2010269778.tif 000009
【図８】
2010269778.tif 000010
【図９】
2010269778.tif 000011
【図１０】
2010269778.tif 000012
【図１１】
2010269778.tif 000013
【図１２】
2010269778.tif 000014
【図１３】
2010269778.tif 000015
【図１４】
2010269778.tif 000016
【図１５】
2010269778.tif 000017
【図１６】
2010269778.tif 000018
【図１７】
2010269778.tif 000019
【図１８】
2010269778.tif 000020
【図１９】
2010269778.tif 000021
【図２０】
2010269778.tif 000022
【図２１】
2010269778.tif 000023
【図２２】
2010269778.tif 000024
【図２３】
2010269778.tif 000025
【図２４】
2010269778.tif 000026
【図２５】
2010269778.tif 000027
【図２６】
2010269778.tif 000028
【図２７】
2010269778.tif 000029
【図２８】
2010269778.tif 000030
【図２９】
2010269778.tif 000031
【図３０】
2010269778.tif 000032
【図３１】
2010269778.tif 000033
【図３２】
2010269778.tif 000034
【図３３】
2010269778.tif 000035